(57)【要約】【課題】挿入された光ディスクがダウンロード可能メディアであった場合、サーバーからダウンロードされた付加サービス情報をチャプターとして光ディスクの情報の再生中に割り込ませることができる複合型記録再生装置を提供する。【解決手段】光ディスクが挿入されると、ディスク管理情報により光ディスクがダウンロード可能メディアであると判定された場合に、割り込み開始時間のデータと共に光ディスクに関する全ての付加サービス情報がサーバーからダウンロードされハードディスクに記録される。ハードディスクに付加サービス情報が有ると判定され、自動割り込み再生モードに設定されている場合、この後、再生操作がされると、ハードディスクから割り込み開始時間のデータが読み出されてフラッシュＲＯＭに格納される。再生時間のデータが前記割り込み開始時間のデータと一致したとき、ハードディスクから付加サービス情報が再生される。【選択図】図６
2007323688.tif 000002
【特許請求の範囲】
【請求項１】
光ディスクに記録された情報を再生、あるいは光ディスクに対して情報を記録／再生する光ディスク装置と、ハードディスクに対して情報を記録／再生するハードディスク装置とを備えると共に、サーバーとデータ通信が可能に構成された複合型記録再生装置において、
挿入された光ディスクは前記サーバーから付加サービス情報をダウンロードさせることが可能なメディアであるか否かを当該光ディスクのディスク管理情報により判定するダウンロード可能メディア判定手段と、
前記挿入された光ディスクがダウンロード可能なメディアであると判定された場合に、各付加サービス情報をそれぞれ当該光ディスクの再生情報に割り込ませるタイミングを示す割り込み開始時間のデータと共に、当該光ディスクに関する全ての付加サービス情報を、前記サーバーからダウンロードして前記ハードディスクに記録させる付加サービス情報記録手段と、
前記挿入された光ディスクがダウンロード可能メディアであると判定された場合に、当該光ディスクに関する付加サービス情報が前記ハードディスクに有るか無いかを判定する付加サービス情報有無判定手段と、
前記ハードディスクに付加サービス情報が有ると判定された場合に、当該光ディスクの情報を再生しているときに付加サービス情報をチャプターとして当該光ディスクの再生情報に自動的に割り込ませて再生を行わせるモードである自動割り込み再生モードに設定されているか否かを判定するモード判定手段と、
前記自動割り込み再生モードに設定されていると判定された場合に、再生操作がされたとき、前記ハードディスクから割り込み開始時間のデータを読み出してメモリに格納する割り込み開始時間格納手段と、
当該光ディスクの情報を再生中に、再生時間のデータが前記メモリに格納されている割り込み開始時間のデータと一致したときに、前記光ディスク装置の再生動作を停止させ、前記ハードディスク装置を再生動作させる第１の再生動作制御手段と、
前記ハードディスクから前記割り込み開始時間のデータに対応した付加サービス情報を読み出して再生させる付加サービス情報再生手段と、
前記付加サービス情報の再生が終了したときに、前記ハードディスク装置の再生動作を停止させ、前記光ディスク装置の再生動作を再開させる第２の再生動作制御手段と、を有するシステムコントローラを備えたことを特徴とする複合型記録再生装置。
【請求項２】
光ディスクに記録された情報を再生、あるいは光ディスクに対して情報を記録／再生する光ディスク装置と、ハードディスクに対して情報を記録／再生するハードディスク装置とを備えると共に、サーバーとデータ通信が可能に構成された複合型記録再生装置において、
挿入された光ディスクが前記サーバーから付加サービス情報をダウンロードさせることが可能なメディアである場合に、前記サーバーから付加サービス情報を前記ハードディスクにダウンロードする制御を行い、当該光ディスクの情報を再生しているときに、前記ハードディスクにダウンロードされた付加サービス情報を読み出し、この読み出した付加サービス情報をチャプターとして当該光ディスクの再生情報に割り込ませて再生させる制御を行うシステムコントローラを備えたことを特徴する複合型記録再生装置。
【請求項３】
光ディスクの情報を再生しているときに、付加サービス情報をチャプターとして当該光ディスクの再生情報に割り込ませるタイミングは、当該光ディスク上の再生時間が割り込み開始時間と一致したときであることを特徴とする請求項２に記載の複合型記録再生装置。
【請求項４】
前記システムコントローラは、挿入された光ディスクは前記サーバーから付加サービス情報をダウンロードさせることが可能なメディアであるか否かを当該光ディスクのディスク管理情報により判定するダウンロード可能メディア判定手段と、前記挿入された光ディスクがダウンロード可能なメディアであると判定された場合に、各付加サービス情報をそれぞれ当該光ディスクの再生情報に割り込ませるタイミングを示す割り込み開始時間のデータと共に、当該光ディスクに関する全ての付加サービス情報を、前記サーバーからダウンロードして前記ハードディスクに記録させる付加サービス情報記録手段と、前記挿入された光ディスクがダウンロード可能メディアであると判定された場合に、当該光ディスクに関する付加サービス情報が前記ハードディスクに有るか無いかを判定する付加サービス情報有無判定手段と、前記ハードディスクに付加サービス情報が有ると判定された場合に、当該光ディスクの情報を再生しているときに付加サービス情報をチャプターとして当該光ディスクの再生情報に自動的に割り込ませて再生を行わせるモードである自動割り込み再生モードに設定されているか否かを判定するモード判定手段と、前記自動割り込み再生モードに設定されていると判定された場合に、再生操作がされたとき、前記ハードディスクから割り込み開始時間のデータを読み出してメモリに格納する割り込み開始時間格納手段と、当該光ディスクの情報を再生中に、再生時間のデータが前記メモリに格納されている割り込み開始時間のデータと一致したときに、前記光ディスク装置の再生動作を停止させ、前記ハードディスク装置を再生動作させる第１の再生動作制御手段と、前記ハードディスクから前記割り込み開始時間のデータに対応した付加サービス情報を読み出して再生させる付加サービス情報再生手段と、前記付加サービス情報の再生が終了したときに、前記ハードディスク装置の再生動作を停止させ、前記光ディスク装置の再生動作を再開させる第２の再生動作制御手段とを有することを特徴とする請求項２に記載の複合型記録再生装置。
【発明の詳細な説明】
【技術分野】
【０００１】
本発明は、光ディスクに記録された情報を再生、あるいは光ディスクに対して情報を記録／再生する光ディスク装置と、ハードディスクに対して情報を記録／再生するハードディスク装置とを備えると共に、サーバーとデータ通信が可能に構成された複合型記録再生装置に関し、特に、挿入された光ディスクがダウンロード可能なメディアであった場合、この光ディスクの再生情報に付加するサービス情報をサーバーからダウンロードして再生する際の処理に関する。
【背景技術】
【０００２】
近年、映画等のような大量の映像音声データなどの情報を記録することができる光ディスクであるＤＶＤ（デジタル・バーサタイル・ディスク）が普及しつつある。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で規定回数書き換え可能なＤＶＤ−ＲＷやＤＶＤ＋ＲＷあるいはＤＶＤ−ＲＡＭなどが知られている。
【０００３】
ところで、ＤＶＤ−ＲＯＭの光ディスクは、映画や音楽コンサートなどの情報を記録させて販売されているが、映画や音楽コンサートなどの情報における映像音声は、ディスク容量の制限などもあり、ディレクターズカットされている場合がある。このため、この種の光ディスクを購入したユーザは、ディレクターズカットされた映像音声や編集・追加された映像音声なども視聴したい要望がある。
【０００４】
そこで、特許文献１の従来技術では、通信回線を経由して外部から拡張情報を取得し、拡張情報に含まれる制御情報に基づき、拡張情報に含まれる拡張情報の取得タイミングの制御に基づき所定のタイミングで取得される拡張コンテンツ情報をＥＶＡＶバッファに記憶し、ＤＶＤから取得されるコンテンツを再生すると共に、このコンテンツの再生に同期させて、前記所定のタイミングで取得される拡張コンテンツを再生するようにしている。即ち、この従来技術では、ＥＶＡＶバッファの記録容量が不足にならないように、サーバ部からのダウンロードされる拡張情報を所定のタイミングに従って少しずつダウンロードしてＥＶＡＶバッファに格納しつつ、また、このバッファから拡張情報を読み出して、ＤＶＤからの再生コンテンツに同期させて拡張情報を再生している。
【特許文献１】特開２００４−２２１７６５号公報
【特許文献２】特開２００１−２８７６５号公報
【特許文献３】特表２００４−５３０３８２号公報
【特許文献４】特開２００５−１１７５１５号公報
【発明の開示】
【発明が解決しようとする課題】
【０００５】
しかし、この従来技術においては、拡張情報をＤＶＤ再生装置にダウンロードするのに要する時間は、ＤＶＤの情報を再生処理するＤＶＤ再生装置の処理時間に比べて、かなり多くかかるので、ＤＶＤの情報を再生しているときに、拡張情報を割り込ませる場合に、ダウンロードの待ち時間が発生して、再生画像が停止したり、途切れたりする可能性があるという課題がある。そこで、サーバ部から拡張情報を全部一度にダウンロードしてＥＮＡＶバッファに格納するようなことも考えられるが、このＥＮＡＶバッファとしては大容量のものを用いる必要があり、このためコストアップにもなる傾向があるという課題も生じる。また、この従来技術は、光ディスク装置とハードディスク装置とを備えた複合型記録再生装置に関するものではない。
【０００６】
特許文献２の従来技術は、アクセス可能な３次元映像を作成するため予め準備された複数の映像素材情報から視聴者の好みに応じて選択し、３次元映像を作成するものであり、ダウンロードされた情報を割り込み再生させるものではなく、また、光ディスク装置とハードディスク装置とを備えた複合型記録再生装置に関するものではない。
【０００７】
特許文献３の従来技術は、アクセス可能な媒体上に記録されている再生プロセスに新しいデータをリンクさせて、再生プロセスを変更、拡張または追加させるものであり、ダウンロードされた情報を割り込み再生させるものではなく、また、光ディスク装置とハードディスク装置とを備えた複合型記録再生装置に関するものではない。
【０００８】
特許文献４の従来技術は、記録媒体に記録されているデータとネットワークを介してダウンロードしたデータを同期して再生するものであり、ダウンロードするデータは、音声データ、字幕データ、グラフィクスデータ、映像データであるが、映画や音楽コンサートなどの情報が記録された光ディスクにおいて、ディレクターズカットされている場合に、ディレクターズカットされた映像音声や編集・追加された映像音声などをチャプターとして光ディスクの再生情報に割り込ませて、再生映像を表示させたり、再生音声を出力させたりするものではない。
【０００９】
本発明は、上記のような課題を解決するためになされたもので、挿入された光ディスクがサーバーから付加サービス情報をダウンロードすることができるダウンロード可能メディアであった場合、サーバーからダウンロードされた付加サービス情報としてのディレクターズカットされた映像音声や編集・追加された映像音声などをチャプターとして光ディスクの情報の再生中に割り込ませることができる機能を有する複合型記録再生装置を提供することを目的とする。
【課題を解決するための手段】
【００１０】
上記目的を達成するために、請求項１の発明は、光ディスクに記録された情報を再生、あるいは光ディスクに対して情報を記録／再生する光ディスク装置と、ハードディスクに対して情報を記録／再生するハードディスク装置とを備えると共に、サーバーとデータ通信が可能に構成された複合型記録再生装置において、挿入された光ディスクは前記サーバーから付加サービス情報をダウンロードさせることが可能なメディアであるか否かを当該光ディスクのディスク管理情報により判定するダウンロード可能メディア判定手段と、前記挿入された光ディスクがダウンロード可能なメディアであると判定された場合に、各付加サービス情報をそれぞれ当該光ディスクの再生情報に割り込ませるタイミングを示す割り込み開始時間のデータと共に、当該光ディスクに関する全ての付加サービス情報を、前記サーバーからダウンロードして前記ハードディスクに記録させる付加サービス情報記録手段と、前記挿入された光ディスクがダウンロード可能メディアであると判定された場合に、当該光ディスクに関する付加サービス情報が前記ハードディスクに有るか無いかを判定する付加サービス情報有無判定手段と、前記ハードディスクに付加サービス情報が有ると判定された場合に、当該光ディスクの情報を再生しているときに付加サービス情報をチャプターとして当該光ディスクの再生情報に自動的に割り込ませて再生を行わせるモードである自動割り込み再生モードに設定されているか否かを判定するモード判定手段と、前記自動割り込み再生モードに設定されていると判定された場合に、再生操作がされたとき、前記ハードディスクから割り込み開始時間のデータを読み出してメモリに格納する割り込み開始時間格納手段と、当該光ディスクの情報を再生中に、再生時間のデータが前記メモリに格納されている割り込み開始時間のデータと一致したときに、前記光ディスク装置の再生動作を停止させ、前記ハードディスク装置を再生動作させる第１の再生動作制御手段と、前記ハードディスクから前記割り込み開始時間のデータに対応した付加サービス情報を読み出して再生させる付加サービス情報再生手段と、前記付加サービス情報の再生が終了したときに、前記ハードディスク装置の再生動作を停止させ、前記光ディスク装置の再生動作を再開させる第２の再生動作制御手段と、を有するシステムコントローラを備えたことを特徴とする複合型記録再生装置を提供する。
【００１１】
この構成において、先ず、光ディスクが挿入されると、ダウンロード可能メディア判定手段は、ディスク管理情報により当該光ディスクがダウンロード可能メディアであるか否かを判定する。当該光ディスクがダウンロード可能なメディアであると判定された場合に、付加サービス情報記録手段は、割り込み開始時間のデータと共に、当該光ディスクに関する全ての付加サービス情報を、サーバーからダウンロードし、ハードディスクに記録させる。
【００１２】
付加サービス情報有無判定手段は、当該光ディスクに関する付加サービス情報がハードディスクに有るか無いかを判定する。ハードディスクに付加サービス情報が有ると判定された場合、モード判定手段は、自動割り込み再生モードに設定されているか否かを判定する。自動割り込み再生モードに設定されていると判定された場合、この後、再生操作がされると、割り込み開始時間格納手段は、ハードディスクから割り込み開始時間のデータを読み出してメモリに格納する。そして、再生時間のデータが前記メモリの割り込み開始時間のデータと一致したとき、即ち、再生時間が割り込み開始時間になったとき、第１の再生動作制御手段は、光ディスク装置の再生動作を停止させ、ハードディスク装置を再生動作させ、ハードディスクから付加サービス情報の再生を行う。前記付加サービス情報の再生が終了すると第２の再生動作制御手段は、ハードディスク装置の再生動作を停止させ、光ディスク装置の再生動作を再開させる。これにより、再び、当該光ディスクの情報の再生が行われる。以下同様な処理が繰り返され、当該光ディスクの情報の再生が終了すると、本処理は終える。
【００１３】
この構成によれば、挿入された光ディスクがサーバーから付加サービス情報をダウンロードすることができるダウンロード可能メディアであった場合、サーバーからダウンロードされた付加サービス情報としてのディレクターズカットされた映像音声や編集・追加された映像音声などをチャプターとして光ディスクの情報の再生中に割り込ませることができる。したがって、ユーザは、ディレクターズカットされた映画や音楽コンサートなどの情報を記録した光ディスクを購入しても、映画や音楽コンサートなどをノーカットで楽しむことができる。また、付加サービス情報がチャプターとして光ディスクの再生情報に割り込むようにしたので、リモコンのスキップ操作により付加サービス情報を直ぐに再生したり、その付加サービス情報を飛ばして再生したり、あるいは付加サービス情報が後々不要になれば、チャプター単位で消去することもでき、ユーザにとっては使い勝手が良いものとなる。
【００１４】
請求項２の発明は、光ディスクに記録された情報を再生、あるいは光ディスクに対して情報を記録／再生する光ディスク装置と、ハードディスクに対して情報を記録／再生するハードディスク装置とを備えると共に、サーバーとデータ通信が可能に構成された複合型記録再生装置において、挿入された光ディスクが前記サーバーから付加サービス情報をダウンロードさせることが可能なメディアである場合に、前記サーバーから付加サービス情報を前記ハードディスクにダウンロードする制御を行い、当該光ディスクの情報を再生しているときに、前記ハードディスクにダウンロードされた付加サービス情報を読み出し、この読み出した付加サービス情報をチャプターとして当該光ディスクの再生情報に割り込ませて再生させる制御を行うシステムコントローラを備えたことを特徴する複合型記録再生装置を提供する。
【００１５】
この構成において、挿入された光ディスクがサーバーから付加サービス情報をダウンロードさせることが可能なメディアである場合に、サーバーから付加サービス情報がハードディスクにダウンロードされ、当該光ディスクの情報を再生しているときに、ハードディスクにダウンロードされた付加サービス情報を読み出し、この読み出した付加サービス情報をチャプターとして当該光ディスクの再生情報に割り込ませて再生させる。
【００１６】
この構成によれば、挿入された光ディスクがサーバーから付加サービス情報をダウンロードすることができるダウンロード可能メディアであった場合、サーバーからダウンロードされた付加サービス情報としてのディレクターズカットされた映像音声や編集・追加された映像音声などをチャプターとして光ディスクの情報の再生中に割り込ませることができる。したがって、ユーザは、ディレクターズカットされた映画や音楽コンサートなどの情報を記録した光ディスクを購入しても、映画や音楽コンサートなどをノーカットで楽しむことができる。また、付加サービス情報がチャプターとして光ディスクの再生情報に割り込むようにしたので、リモコンのスキップ操作により付加サービス情報を直ぐに再生したり、その付加サービス情報を飛ばして再生したり、あるいは付加サービス情報が後々不要になれば、チャプター単位で消去することもでき、ユーザにとっては使い勝手が良いものとなる。
【００１７】
請求項３の発明では、請求項２の発明において、光ディスクの情報を再生しているときに、付加サービス情報をチャプターとして当該光ディスクの再生情報に割り込ませるタイミングは、当該光ディスク上の再生時間が割り込み開始時間と一致したときであるので、当該光ディスク上の再生時間が割り込み開始時間になれば、付加サービス情報をチャプターとして当該光ディスクの再生情報に割り込ませることが可能になる。
【００１８】
請求項４の発明では、請求項２の発明において、前記システムコントローラは、挿入された光ディスクは前記サーバーから付加サービス情報をダウンロードさせることが可能なメディアであるか否かを当該光ディスクのディスク管理情報により判定するダウンロード可能メディア判定手段と、前記挿入された光ディスクがダウンロード可能なメディアであると判定された場合に、各付加サービス情報をそれぞれ当該光ディスクの再生情報に割り込ませるタイミングを示す割り込み開始時間のデータと共に、当該光ディスクに関する全ての付加サービス情報を、前記サーバーからダウンロードして前記ハードディスクに記録させる付加サービス情報記録手段と、前記挿入された光ディスクがダウンロード可能メディアであると判定された場合に、当該光ディスクに関する付加サービス情報が前記ハードディスクに有るか無いかを判定する付加サービス情報有無判定手段と、前記ハードディスクに付加サービス情報が有ると判定された場合に、当該光ディスクの情報を再生しているときに付加サービス情報をチャプターとして当該光ディスクの再生情報に自動的に割り込ませて再生を行わせるモードである自動割り込み再生モードに設定されているか否かを判定するモード判定手段と、前記自動割り込み再生モードに設定されていると判定された場合に、再生操作がされたとき、前記ハードディスクから割り込み開始時間のデータを読み出してメモリに格納する割り込み開始時間格納手段と、当該光ディスクの情報を再生中に、再生時間のデータが前記メモリに格納されている割り込み開始時間のデータと一致したときに、前記光ディスク装置の再生動作を停止させ、前記ハードディスク装置を再生動作させる第１の再生動作制御手段と、前記ハードディスクから前記割り込み開始時間のデータに対応した付加サービス情報を読み出して再生させる付加サービス情報再生手段と、前記付加サービス情報の再生が終了したときに、前記ハードディスク装置の再生動作を停止させ、前記光ディスク装置の再生動作を再開させる第２の再生動作制御手段とを有する。
【００１９】
したがって、前記システムコントローラは、ダウンロード可能メディア判定処理、付加サービス情報記録処理、付加サービス情報有無判定処理、モード判定処理、割り込み開始時間格納処理、第１の再生動作制御処理、付加サービス情報再生処理、および第２の再生動作制御処理を実現でき、これにより、挿入された光ディスクがサーバーから付加サービス情報をダウンロードすることができるダウンロード可能メディアであった場合、サーバーからダウンロードされた付加サービス情報をチャプターとして光ディスクの情報の再生中に割り込ませることが可能になる。
【発明の効果】
【００２０】
以上のように本発明によれば、挿入された光ディスクはサーバーから付加サービス情報をダウンロードさせることが可能なメディアであるか否かを当該光ディスクのディスク管理情報により判定するダウンロード可能メディア判定手段と、前記挿入された光ディスクがダウンロード可能なメディアであると判定された場合に、各付加サービス情報をそれぞれ当該光ディスクの再生情報に割り込ませるタイミングを示す割り込み開始時間のデータと共に、当該光ディスクに関する全ての付加サービス情報を、前記サーバーからダウンロードして前記ハードディスクに記録させる付加サービス情報記録手段と、前記挿入された光ディスクがダウンロード可能メディアであると判定された場合に、当該光ディスクに関する付加サービス情報がハードディスクに有るか無いかを判定する付加サービス情報有無判定手段と、前記ハードディスクに付加サービス情報が有ると判定された場合に、当該光ディスクの情報を再生しているときに付加サービス情報をチャプターとして当該光ディスクの再生情報に自動的に割り込ませて再生を行わせるモードである自動割り込み再生モードに設定されているか否かを判定するモード判定手段と、前記自動割り込み再生モードに設定されていると判定された場合に、再生操作がされたとき、前記ハードディスクから割り込み開始時間のデータを読み出してメモリに格納する割り込み開始時間格納手段と、当該光ディスクの情報を再生中に、再生時間のデータが前記メモリに格納されている割り込み開始時間のデータと一致したときに、前記光ディスク装置の再生動作を停止させ、前記ハードディスク装置を再生動作させる第１の再生動作制御手段と、前記ハードディスクから前記割り込み開始時間のデータに対応した付加サービス情報を読み出して再生させる付加サービス情報再生手段と、前記付加サービス情報の再生が終了したときに、前記ハードディスク装置の再生動作を停止させ、前記光ディスク装置の再生動作を再開させる第２の再生動作制御手段とを有するシステムコントローラを備えたので、挿入された光ディスクがサーバーから付加サービス情報をダウンロードすることができるダウンロード可能メディアであった場合、サーバーからダウンロードされた付加サービス情報としてのディレクターズカットされた映像音声や編集・追加された映像音声などをチャプターとして光ディスクの情報の再生中に割り込ませることができる。
【００２１】
したがって、ユーザは、ディレクターズカットされた映画や音楽コンサートなどの情報を記録した光ディスクを購入しても、映画や音楽コンサートなどをノーカットで楽しむことができる。また、付加サービス情報がチャプターとして光ディスクの再生情報に割り込むようにしたので、リモコンのスキップ操作により付加サービス情報を直ぐに再生したり、その付加サービス情報を飛ばして再生したり、あるいは付加サービス情報が後々不要になれば、チャプター単位で消去することもでき、ユーザにとっては使い勝手が良いものとなる。
【００２２】
また、本発明によれば、挿入された光ディスクがサーバーから付加サービス情報をダウンロードさせることが可能なメディアである場合に、サーバーから付加サービス情報をハードディスクにダウンロードする制御を行い、当該光ディスクの情報を再生しているときに、前記ハードディスクにダウンロードされた付加サービス情報を読み出し、この読み出した付加サービス情報をチャプターとして当該光ディスクの再生情報に割り込ませて再生させる制御を行うシステムコントローラを備えたので、挿入された光ディスクがサーバーから付加サービス情報をダウンロードすることができるダウンロード可能メディアであった場合、サーバーからダウンロードされた付加サービス情報としてのディレクターズカットされた映像音声や編集・追加された映像音声などをチャプターとして光ディスクの情報の再生中に割り込ませることができる。したがって、ユーザは、ディレクターズカットされた映画や音楽コンサートなどの情報を記録した光ディスクを購入しても、映画や音楽コンサートなどをノーカットで楽しむことができる。また、付加サービス情報がチャプターとして光ディスクの再生情報に割り込むようにしたので、リモコンのスキップ操作により付加サービス情報を直ぐに再生したり、その付加サービス情報を飛ばして再生したり、あるいは付加サービス情報が後々不要になれば、チャプター単位で消去することもでき、ユーザにとっては使い勝手が良いものとなる。
【発明を実施するための最良の形態】
【００２３】
以下、添付図面を参照しつつ、本発明の実施の形態について説明する。図１は本発明の一実施形態に係る複合型記録再生装置の構成を示すブロック図である。この複合型記録再生装置では、光ディスクに対して情報を記録したり、再生したりすることが可能なＤＶＤレコーダである光ディスク装置を搭載した構成を示すが、光ディスク装置としては、光ディスクに記録された情報を再生することのみ可能なＤＶＤプレイヤであっても良い。
【００２４】
図１において、複合型記録再生装置１は、光ディスクとしてのＤＶＤ１３に対して情報の記録／再生を行う光ディスク装置２と、ハードディスク１４に対して情報の記録／再生を行うハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をモニタ装置（テレビ受信機など）１２で表示可能な映像信号に変換する映像出力部７と、デコーダ５で復号された音声信号をモニタ装置１２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２５】
システムコントローラ１０は、本実施形態の特徴として、挿入された光ディスクはサーバー１６から付加サービス情報をダウンロードさせることが可能なメディアであるか否かを当該光ディスクのディスク管理情報により判定するダウンロード可能メディア判定手段と、前記挿入された光ディスクがダウンロード可能なメディアであると判定された場合に、各付加サービス情報をそれぞれ当該光ディスクの再生情報に割り込ませるタイミングを示す割り込み開始時間のデータと共に、当該光ディスクに関する全ての付加サービス情報を、サーバー１６からダウンロードしてハードディスク１４に記録させる付加サービス情報記録手段と、前記挿入された光ディスクがダウンロード可能メディアであると判定された場合に、当該光ディスクに関する付加サービス情報がハードディスク１４に有るか無いかを判定する付加サービス情報有無判定手段と、ハードディスク１４に付加サービス情報が有ると判定された場合に、当該光ディスクの情報を再生しているときに付加サービス情報をチャプターとして当該光ディスクの再生情報に自動的に割り込ませて再生を行わせるモードである自動割り込み再生モードに設定されているか否かを判定するモード判定手段とを有する。
【００２６】
また、前記システムコントローラ１０は、前記自動割り込み再生モードに設定されていると判定された場合に、再生操作がされたとき、ハードディスク３から割り込み開始時間のデータを読み出してフラッシュＲＯＭ６に格納する割り込み開始時間格納手段と、当該光ディスクの情報を再生中に、再生時間のデータがフラッシュＲＯＭ６に格納されている割り込み開始時間のデータと一致したときに、光ディスク装置２の再生動作を停止させ、ハードディスク装置３を再生動作させる第１の再生動作制御手段と、ハードディスク３から前記割り込み開始時間のデータに対応した付加サービス情報を読み出して再生させる付加サービス情報再生手段と、前記付加サービス情報の再生が終了したときに、ハードディスク装置３の再生動作を停止させ、光ディスク装置２の再生動作を再開させる第２の再生動作制御手段とを有する。前記付加サービス情報とは、ＤＶＤ１３に映画が記録されているとすると、映画の中でディレクターズカットされている映像や音声、あるいは編集・追加された映像や音声の情報のことを言う。
【００２７】
図２は本実施形態においてＤＶＤ内のディスク管理情報に含まれるディスクＩＤとダウンロード可能情報と付加サービス情報識別情報との関係の一例を示すテーブルの内容を説明するための図である。図２において、ディスクＩＤは複合型記録再生装置１の光ディスク装置２に挿入されたＤＶＤの種類や製造年月日などの固有の識別子である。ダウンロード可能情報は、当該ＤＶＤに対する付加サービス情報を、サーバーからダウンロードさせることを可能にするための情報である。付加サービス情報識別情報は、サーバーから付加サービス情報をダウンロードする際に、その付加サービス情報を識別するための情報であり、タイトル名などに相当する。例えば、当該ＤＶＤのディスクＩＤがａ１であった場合、ダウンロード可能情報はｂ１であり、付加サービス情報識別情報はｃ１，ｃ２であることを示している。
【００２８】
図３は本実施形態においてサーバー内に保存される付加サービス情報識別情報と付加サービス情報と割り込み開始時間との関係の一例を示すテーブルの内容を説明するための図である。図３において、例えば、付加サービス情報識別情報がｃ１であった場合、付加サービス情報はｄ１であり、割り込み開始時間は２５分である。また、付加サービス情報識別情報がｃ２であった場合、付加サービス情報はｄ２であり、割り込み開始時間は５５分である。
【００２９】
図４は本実施形態においてハードディスク内に記録される付加サービス情報識別情報と付加サービス情報と割り込み開始時間との関係の一例を示すテーブルの内容を説明するための図である。図４において、例えば、付加サービス情報識別情報がｃ１であった場合、付加サービス情報はｄ１であり、割り込み開始時間は２５分である。また、付加サービス情報識別情報がｃ２であった場合、付加サービス情報はｄ２であり、割り込み開始時間は５５分である。
【００３０】
図５は本実施形態において再生時間と割り込み開始時間との関係の一例を説明するための図である。図５において、ｅ１，ｅ２，ｅ３は、ＤＶＤに記録されている情報を示し、再生開始時点ｔ１から割り込み開始時点ｔ２までの区間の情報がｅ１であり、割り込み終了時点ｔ３から割り込み開始時点ｔ４までの区間の情報がｅ２であり、割り込み終了時点ｔ５から再生終了時点ｔ６までの区間の情報がｅ３である。ＤＶＤの情報ｅ１の再生時間は、再生開始時点ｔ１から割り込み開始時点ｔ２までの２５分である。ＤＶＤの情報ｅ１，ｅ２の再生時間は、再生開始時点ｔ１から割り込み開始時点ｔ２までの２５分に、割り込み終了時点ｔ３から割り込み開始時点ｔ４までの３０分を加えた５５分である。つまり、ＤＶＤの情報ｅ１，ｅ２を再生する時間は、ＤＶＤに設定されているディスク上の再生時間であり、この例の場合は５５分になる。再生開始時点ｔ１から再生時間が２５分（ＤＶＤ上の再生時間）になると、付加サービス情報ｄ１がＤＶＤの再生情報に割り込まれ、また、再生開始時点ｔ１から再生時間が５５分（ＤＶＤ上の再生時間）になると、付加サービス情報ｄ２がＤＶＤの再生情報に割り込まれる。
【００３１】
図６は本実施形態においてＤＶＤの再生情報に付加サービス情報をチャプターとして割り込ませる処理を説明するためのフローチャートである。このフローチャートおよび図１〜図５を参照してＤＶＤの再生情報に付加サービス情報をチャプターとして割り込ませる処理について説明する。
【００３２】
先ず、ＤＶＤ１３が光ディスク装置２に挿入されると、システムコントローラ１０は、ＤＶＤ１３が挿入されたことを検知し（ステップＳ１）、光ディスク装置２に対してマウント処理を実行させることにより、ＤＶＤ１３からディスク管理情報を読み出してデコーダ５で復号する。システムコントローラ１０のダウンロード可能メディア判定手段は、前記復号されたディスク管理情報の中にＤＶＤ１３に対する付加サービス情報をサーバー１６からダウンロードすることを可能にするダウンロード可能情報（図２参照）が含まれているか否かを判定することにより、このＤＶＤ１３についてサーバー１６から付加サービス情報をダウンロードさせることが可能なダウンロード可能メディアであるか否かを判定する（ステップＳ３）。
【００３３】
ＤＶＤ１３のディスク管理情報にダウンロード可能情報が含まれており、ＤＶＤ１３がダウンロード可能なメディアであると判定された場合に、システムコントローラ１０の付加サービス情報記録手段は、各付加サービス情報をそれぞれ当該ＤＶＤ１３の再生情報にチャプターとして割り込ませるタイミングを示す割り込み開始時間のデータと共に、当該ＤＶＤ１３に関する全ての付加サービス情報を、サーバー１６からダウンロードし、ハードディスク装置３によりハードディスク１４に記録させる（ステップＳ４）。サーバー１６内において、所望する付加サービス情報の検索は、ＤＶＤ１３のディスク管理情報に含まれるディスクＩＤに対応して付された付加サービス情報識別情報（図２参照）により可能である。即ち、サーバー１６には、付加サービス情報識別情報に対応して付加サービス情報（図３参照）が保存されているので、複合型記録再生装置１では、当該ＤＶＤ１３の付加サービス情報識別情報（図２参照）を用いて、サーバー１６内の付加サービス情報識別情報（図３参照）と一致する付加サービス情報識別情報を指摘し、この指摘された付加サービス情報識別情報に対応する付加サービス情報（図３参照）を読み出せば良い。
【００３４】
次に、システムコントローラ１０の付加サービス情報有無判定手段は、当該ＤＶＤ１３に関する付加サービス情報（図３、図４参照）がハードディスク１４に有るか否かを判定する（ステップＳ５）。このステップＳ５の処理では、ステップＳ４においてハードディスク１４に付加サービス情報（図４参照）が記録されている場合は、当然ハードディスク１４に付加サービス情報が有ると判定されるが、サーバー１６から付加サービス情報（図３参照）が未だダウンロードされていない場合には、ハードディスク１４には付加サービス情報が無い状態にあるので、ステップＳ５では、付加サービス情報有無判定手段は、ハードディスク１４に付加サービス情報が有るかどうかを確かめている。
【００３５】
ハードディスク１４に付加サービス情報が有ると判定された場合に、システムコントローラ１０のモード判定手段は、当該ＤＶＤ１３の情報を再生しているときに付加サービス情報をチャプターとして当該ＤＶＤ１３の再生情報に自動的に割り込ませて再生を行わせるモードである自動割り込み再生モードに設定されているか否かを判定する（ステップＳ６）。この自動割り込み再生モードに設定されているか否かの判定結果は、モニタ装置１２のディスプレイ装置に表示させることによって、ユーザが設定状態を知ることができる。この自動割り込み再生モードの設定は、初期設定画面をモニタ装置１２のディスプレイ装置に表示させ、初期設定画面で予め設定するようにしておけば良い。
【００３６】
ユーザがモニタ装置１２に表示された自動割り込み再生モードの設定を示すメッセージ（例えば、自動割り込みモードに設定されています。）を見て、リモコン１１の再生キーを押下すると、システムコントローラ１０は、再生操作がされたことを検知し（ステップＳ７）、システムコントローラ１０の割り込み開始時間格納手段は、ハードディスク装置３を再生動作させ、ハードディスク１４から割り込み開始時間（図４参照）のデータを読み出してフラッシュＲＯＭ６に格納する（ステップＳ８）。そして、再生時間が割り込み開始時間が来るまで、ステップＳ９〜ステップＳ１１の処理が繰り返され、システムコントローラ１０の第１の再生動作制御手段が、割り込み開始時間になったことを検知すると（ステップＳ１１）、光ディスク装置２の再生動作を停止させ、ハードディスク装置３を再生動作させる（ステップＳ１２）。
【００３７】
即ち、当該ＤＶＤ１３の情報を再生中に、再生時間（再生が開始してからのＤＶＤ上の再生時間）のデータがフラッシュＲＯＭ６に格納されている割り込み開始時間のデータとが一致したとき、システムコントローラ１０の第１の再生動作制御手段は、光ディスク装置２の再生動作を停止させることにより、当該ＤＶＤ１３の情報の再生を停止させると共に、ハードディスク装置３を再生動作させることにより、ハードディスク１４の情報の再生を行う。ハードディスク１４の情報の再生は、この場合、システムコントローラ１０の付加サービス情報再生手段は、前記割り込み開始時間のデータに対応する付加サービス情報（図４参照）を、ハードディスク装置３を介してハードディスク１４から読み出して再生する（ステップＳ１３）。
【００３８】
前記付加サービス情報の再生が終了すると（ステップＳ１４）、システムコントローラ１０の第２の再生動作制御手段は、ハードディスク装置３の再生動作を停止させ、光ディスク装置２の再生動作を再開させる（ステップＳ１５）。これにより、再び、ＤＶＤ１３の情報の再生が行われる（ステップＳ９）。以下同様に、ステップＳ１０〜ステップＳ１５、ステップＳ９の処理が繰り返され、当該ＤＶＤ１３の情報の再生が終了すると（ステップＳ１０）、本処理は終える。
【００３９】
例えば、図５に示すように、再生時間２５分が割り込み開始時間２５分と一致したとき、割り込み開始時点ｔ２から割り込み終了時点ｔ３までの間に付加サービス情報ｄ１が再生され、モニタ装置１２のディスプレイ装置に映像が表示され、音声がモニタ装置１２のスピーカから出力される。次に、再生時間５５分が割り込み開始時間５５分と一致したとき、割り込み開始時点ｔ４から割り込み終了時点ｔ５までの間に付加サービス情報ｄ２が再生され、モニタ装置１２のディスプレイ装置に映像が表示され、音声がモニタ装置１２のスピーカから出力される。なお、再生開始時点ｔ１から割り込み開始時点ｔ２までは光ディスク装置２が再生動作してＤＶＤ１３から情報ｅ１が再生され、割り込み開始時点ｔ２から割り込み終了時点ｔ３まではハードディスク装置３が再生動作してハードディスク１４から付加サービス情報ｄ１が再生される。また、割り込み終了時点ｔ３から割り込み開始時点ｔ４までは光ディスク装置２が再生動作してＤＶＤ１３から情報ｅ２が再生され、割り込み開始時点ｔ４から割り込み終了時点ｔ５まではハードディスク装置３が再生動作してハードディスク１４から付加サービス情報ｄ２が再生される。そして、割り込み終了時点ｔ５から再生終了時点ｔ６までは、光ディスク装置２が再生動作してＤＶＤ１３から情報ｅ３が再生される。
【００４０】
ステップＳ３において、当該ＤＶＤ１３がダウンロード可能メディアでないと判定された場合、あるいはステップＳ６において、自動割り込み再生モードに設定されていないと判定された場合、その後、リモコン１１の再生キーが押下されることにより、システムコントローラ１０が再生操作されたことを検知すると（ステップＳ１６）、システムコントローラ１０は、光ディスク装置２を再生動作させ、当該ＤＶＤ１３に対して通常再生（割り込み再生でない普通の再生）を行わせる（ステップＳ１７）。そして、この通常再生が終了すると（ステップＳ１７）、本処理は終える。
【００４１】
以上説明したように本実施形態によれば、挿入された光ディスクがサーバーから付加サービス情報をダウンロードすることができるダウンロード可能メディアであった場合、サーバーからダウンロードされた付加サービス情報としてのディレクターズカットされた映像音声や編集・追加された映像音声などをチャプターとして光ディスクの情報の再生中に割り込ませることができる。したがって、ユーザは、ディレクターズカットされた映画や音楽コンサートなどの情報を記録した光ディスクを購入しても、映画や音楽コンサートなどをノーカットで楽しむことができる。また、付加サービス情報がチャプターとして光ディスクの再生情報に割り込むようにしたので、リモコンのスキップ操作により付加サービス情報を直ぐに再生したり、その付加サービス情報を飛ばして再生したり、あるいは付加サービス情報が後々不要になれば、チャプター単位で消去することもでき、ユーザにとっては使い勝手が良いものとなる。
【産業上の利用可能性】
【００４２】
本発明は、光ディスク装置（ＤＶＤレコーダまたはＤＶＤプレイヤ）とハードディスク装置（ハードディスクレコーダ）との複合型記録再生装置に利用でき、挿入された光ディスクがサーバーから付加サービス情報をダウンロードすることができるダウンロード可能メディアであった場合、サーバーからダウンロードされた付加サービス情報としてのディレクターズカットされた映像音声や編集・追加された映像音声などをチャプターとして光ディスクの情報の再生中に割り込ませることを可能にする。
【図面の簡単な説明】
【００４３】
【図１】本発明の一実施形態に係る複合型記録再生装置の構成を示すブロック図である。
【図２】前記実施形態においてＤＶＤ内のディスク管理情報に含まれるディスクＩＤとダウンロード可能情報と付加サービス情報識別情報との関係の一例を示すテーブルの内容を説明するための図である。
【図３】前記実施形態においてサーバー内に保存される付加サービス情報識別情報と付加サービス情報と割り込み開始時間との関係の一例を示すテーブルの内容を説明するための図である。
【図４】前記実施形態においてハードディスク内に記録される付加サービス情報識別情報と付加サービス情報と割り込み開始時間との関係の一例を示すテーブルの内容を説明するための図である。
【図５】前記実施形態において再生時間と割り込み開始時間との関係の一例を説明するための図である。
【図６】前記実施形態においてＤＶＤの再生情報に付加サービス情報をチャプターとして割り込ませる処理を説明するためのフローチャートである。
【符号の説明】
【００４４】
１    複合型記録再生装置
２    光ディスク装置
３    ハードディスク装置
６    フラッシュＲＯＭ（メモリ）
１０    システムコントローラ
１３    ＤＶＤ（光ディスク）
１４    ハードディスク
【図１】
2007323688.tif 000003
【図２】
2007323688.tif 000004
【図３】
2007323688.tif 000005
【図４】
2007323688.tif 000006
【図５】
2007323688.tif 000007
【図６】
2007323688.tif 000008